Podtech/llm-jp-corpus-v4-ja_patent huggingface dataset:
(57)【要約】【課題】  従来のヘッドフォンは左右の音を聞き分けることは出来たが、音源の立体的認識は困難であった。そのため前方で演奏されている音楽も、頭上、頭中あるいは頭の後方から聞こえるような違和感があった。【解決手段】  ひとが自然の音を聞く際には必ず耳介での反射音が含まれ、これが音源の前後左右の認識に役立っている。このことを利用し、耳介の構造をヘッドフォンに取り入れた。実際には、スピーカーを支えるイヤーパッド後方部分を耳側に隆起させ、耳介の効果を創出した。また、前方部分は極力隆起を抑える構造とした。その結果、音源の定位感が生まれ、課題で述べた違和感を解消することができた。また、定位感の獲得により、音楽などは立体的に臨場感をもって聞こえるようになった。【選択図】    図１
2005229557.tif 000002
【特許請求の範囲】
【請求項１】
耳介の構造および機能の付加により立体音の体感を可能にするヘッドフォンイヤーパッドの構造。
【発明の詳細な説明】
【技術分野】
【０００１】本発明はステレオヘッドフォンのイヤーパッドに、ひとの耳介に類似の機能を付与することにより、ステレオ録音された音を立体的に聴取可能とするものである。
【背景技術】
【０００２】従来のステレオヘッドフォンは左右の音を聞き分けることができた。一部のサラウンド方式のものでは前方、後方の音の成分を用いることで前後の聞き分けもある程度可能となった。しかしいずれも音源の定位感に問題を残しており、前方からの音が頭上、頭中あるいは後方から聞こえるような違和感があった。
【発明の開示】
【発明が解決しようとする課題】
【０００３】ひとは音源位置の判別を耳介による集音、反射などの機能により容易にし、音の立体感を得ている。ところが、従来のステレオヘッドフォンでは内蔵されるスピーカーが耳孔の至近距離にあるか、あるいはイヤーパッドにより全周的に均一に包まれる構造上、耳介によって生理的に造られるべき立体感が排斥されていた。このことがこれまでのヘッドフォンが設置型のステレオ再生装置のごとき臨場感を創出できない大きな要因であった。
【課題を解決するための手段】
【０００４】図１の斜視図に示すように、スピーカーを内包するパッド後方部分に耳側に向けて壁を設け耳介の機能を創出した。また、前方部分は極力壁を排除する構造とした。
【発明の効果】
【０００５】本発明のヘッドフォンはこれまでのヘッドフォンに欠損していた、聴覚が本来有する耳介の効果を付与したものである。スピーカーから発せられる音はこの人工耳介により反射、集音され立体感のある音像を作り出す。具体的には、前方からの音は前方から聞こえる感覚となり音源の定位感が生まれ、これまでのヘッドフォンの欠点であった前方から聞こえるべき音が、頭上・頭中あるいは後方から聞こえるような違和感が著しく改善される。さらに、音源の定位感が生まれることで、音楽などは臨場感をもって聞くことができる。
【発明を実施するための最良の形態】
【０００６】臨場感、定位感を目的としたすべてのステレオヘッドフォンに使用可能である。
【図面の簡単な説明】
【０００７】
【図１】前方からのヘッドフォン斜視図である。
【図２】ヘッドフォンイヤーパッドの内面図である。
【図３】ヘッドフォンイヤーパッドの後面図である。
【図４】ヘッドフォンイヤーパッドの上面図である。
【図５】左耳での小型ヘッドフォン装着時の外面図である。
【図６】左耳での小型ヘッドフォン装着時の後面図である。
【図７】左耳での密閉型ヘッドフォン装着時の外面図である。
【符号の説明】
【０００８】１  スピーカー
２  人工耳介部分
３  耳介
【図１】
2005229557.tif 000003
【図２】
2005229557.tif 000004
【図３】
2005229557.tif 000005
【図４】
2005229557.tif 000006
【図５】
2005229557.tif 000007
【図６】
2005229557.tif 000008
【図７】
2005229557.tif 000009
(57)【要約】      （修正有）【課題】液晶モニターを設けた光学機器の使用者が，撮影に際して，被写体の構図の決定並びに水平方向，垂直方向の位置の確認を，的確に，迅速に，簡単に，かつ快適にできるよう，液晶モニターの外枠部分に貼りつけて使用する，外付け格子線付きのシール式フレームを提供する。【解決手段】（１）液晶モニターの外枠の左右及び上下の同一位置に，同一格子線を設ける。（２）上記の，左右及び上下の格子線をあらかじめ印刷，刻印した，ビニール，紙等で作ったフレームを，液晶モニターの外枠に貼りつける。（３）利用者は，撮影に際して，予め液晶モニターの外枠に貼りつけたフレームを使用し，被写体の構図の決定を行うとともに，水平方向，垂直方向の位置の確認を行う。（４）今後，新たに製造される液晶モニター付き光学機器については，予め製造過程において，液晶モニターの外枠部分に外付け格子線を印刷あるいは刻印することも考えられる。【選択図】  図１
2005229556.tif 000002
【特許請求の範囲】
【請求項１】
デジタルカメラ等の液晶モニター付き光学機器のための，構図決定並びに水平，垂直方向位置確認のための外付け格子線を設けたシール式フレーム
【発明の詳細な説明】
【技術分野】
【０００１】  この発明は，デジタルカメラ等の液晶モニター付き光学機器（デジタルカメラ，デジタルビデオカメラ，カメラ機能付携帯電話）を対象に，構図決定並びに水平，垂直方向位置確認のための外付け格子線を設け，外枠部分に貼りつける，ビニール又は紙製のシール式フレームに関するものである。
【背景技術】
【０００２】  従来，液晶モニター付き光学機器を対象に，外付け格子線を設けたシール式フレームはなかった。  液晶モニター上に格子線や方眼スクリーンを設ける方法はあった。
【発明が解決しようとする課題】
【０００３】  これは，次のような問題点があった。（１）液晶モニター付き光学機器の利用者は，撮影に際して，液晶モニター上の画面を見ながら，経験と勘により，構図の決定並びに水平及び垂直方向の位置の確認を行うが，構図の決定及び水平，垂直方向の位置確認に時間がかかり，折角のシャッターチャンスを逃すことが多い（２）撮影後の映像をみてみると，水平又は垂直方向の位置が曲がっていることが多い。  本発明は，以上のような欠点をなくすためになされたものである。
【課題を解決するための手段】
【０００４】  撮影者が，撮影に際し，被写体の構図の決定並びに水平及び垂直方向の位置の確認を容易にできるようにするために，液晶モニターの外枠の左右及び上下の同一位置に，同一格子線を設ける。  本発明は，以上の構成よりなる，外付け格子線を設けたシール式フレームである。
【発明を実施するための最良の形態】
【０００５】  以下，発明を実施するための最良の形態について説明する。（１）液晶モニター付き光学機器の利用者が，撮影に際して，被写体の構図の決定並びに水平及び垂直方向の位置の確認を容易にできるようにするために，液晶モニターの外枠の左右及び上下の同一位置に，同一格子線を設ける。（２）上記の左右及び上下の格子線をあらかじめ印刷，刻印し，液晶モニター部分を切り抜いた，ビニール，紙等で作ったシール式フレームを用意する。  本発明は，以上のような構造であり，外付け格子線を設けた液晶モニター付き光学機器の利用者は，撮影に際して，予め液晶モニターの外枠に貼りつけたフレームを使用し，被写体の構図の決定のために外付け格子線を利用するとともに，例えば，海等の水平線を確保したいと思えば，フレームの左右の同一位置に設けてある外付け格子線に被写体の水平線を合わせればよく，また，柱等の垂直線を確保したいと思えば，フレームの上下の同一位置に設けてある外付け格子線に被写体の垂直線を合わせるようにすればよい。  これらの行動は，フレームの左右，上下の同一位置に同一の外付格子線が設けられていることにより，特別に操作しなくても，無意識のうちに，構図の決定並びに水平線，垂直線の確保が，的確に，迅速に，容易に，かつ快適に行われるものと思われる。
【発明の効果】
【０００６】（１）液晶モニター付き光学機器を使用する人の立場からすると，撮影する際に，被写体の構図の決定並びに水平，垂直方向の位置の確認が，的確に，迅速に，容易に，かつ快適に行え，シャッターチャンスを逃さない。（２）このような被写体の構図の決定並びに水平，垂直方向の位置確認のための外付け格子線を設けたフレームの製造にあたっては，特別の設計変更，大規模製造機械の導入等を必要としないため，新たな投資も不要と思われ，利用者にとっても安価で購入できる。（３）液晶モニター付き光学機器を製造，販売する側の立場からすると，外付け格子線を設けたフレームの製造にあたっては，特別の設計変更，大規模製造機械の導入等を必要としないため，消費者に安価で提供できる。（４）既に発売されている液晶モニター内にグリッド表示機能を持つ光学機器についても，外付け格子線を設けることにより，液晶モニター内のグリッド表示は不要と思われる。  なお，より正確な構図の決定を必要とする場合に備えて，直線で表示される内部格子線に代わり，縦と横の線が交差する部分に，「＋」印や「・」印を表示することも考えられる。  この場合，外付け格子線の延長線上にある「＋」印又は「・」印が，外付け格子線と一体となり，内部格子線としての機能を保つとともに，液晶モニター内をすっきり見やすくさせ，撮影者は，的確に，迅速に，容易に，かつ快適に構図の決定をすることが可能である。（５）外付け格子線の数は，理想とされる黄金分割の考えに基づき，液晶モニターの縦横を３分割する２本，あるいは，縦横を４分割する３本が考えられる。（６）今後，新たに製造される液晶モニター付き光学機器については，予め，製造過程において，液晶モニターの外枠部分に外付け格子線を印刷あるいは刻印することも考えられる。
【図面の簡単な説明】
【０００７】
【図１】本発明のシール式フレームの正面図である。
【図２】本発明のシール式フレームの背面図である。
【符号の説明】
【０００８】      １  構図の決定並びに水平方向位置確認のための外付け格子線      ２  構図の決定並びに垂直方向位置確認のための外付け格子線      ３  のりしろ（両面テープ）
【図１】
2005229556.tif 000003
【図２】
2005229556.tif 000004
(57)【要約】【課題】  ５大アレルゲンである小麦や卵を使用しないで、かつペットの好む香りのペット用スナックを提供する事にある。【解決手段】  アレルゲン性の低い澱粉にアレルゲン性の低いマトン等の肉類を加え、さらに果物を加えマトン等の不快臭を消し、焼成食品製造機で成形しワッフル、マフィン等のペット用焼き菓子を作る。【効果】  本発明によれば５大アレルゲンである小麦や卵を使用しなくても、ケーキ状のペット用焼き菓子を作る事ができる。【特許請求の範囲】
【請求項１】
アレルゲン性の低い澱粉にアレルゲン性の低いマトン等の肉類、又は魚介類を加え、さらに果物を加えマトン等の不快臭を消し、焼成食品製造機で成形したワッフル、マフィン等のペット用焼き菓子。またさらに薬成分や栄養補助成分を添加したペット用焼き菓子。
【請求項２】
項目１の組成物によるペットフード。
【請求項３】
項目１の組成物によるペット用栄養補助食品。
【発明の詳細な説明】
【技術分野】
【０００１】
本発明はペット用スナックに関するものである。
【背景技術】
【０００２】
核家族化や少子高齢化が進む中、ペットと共にお茶等を楽しめるドッグカフェが数多く出現している。しかし現状ではケーキ等の焼き菓子を作る際、小麦粉や卵を使用せずに作るのは非常に困難である。イヌにおいては牛肉、牛乳、卵、小麦が、猫においては魚類、牛乳、牛肉がアレルギーの食物抗原になっており、皮膚炎やくしゃみ鼻水又は喘息等の呼吸器症状を引き起こす原因の一つにもなっており、それらを使用してケーキ等の焼き菓子を作るのは好ましくない。
【発明の開示】
【発明が解決しようとする課題】
【０００３】
本発明が解決しようとする課題はペット用のケーキ等の焼き菓子を小麦粉や卵を使用せずに作る事にある。
【課題を解決するための手段】
【０００４】
アレルゲン性の低い澱粉にアレルゲン性の低いマトン等の肉類を加え、さらに果物を加えマトン等の不快臭を消し、焼成食品製造機で成形しワッフル、マフィン等の焼き菓子を作る。
【発明の効果】
【０００５】
本発明によれば５大アレルゲンである小麦や卵を使用しなくても、ケーキ状のペット用焼き菓子を作る事ができる。
【実施例】
【０００６】
コーンスターチ１８０ｇ、上新粉２０ｇを混ぜ合わせ、湯１００ｃｃでよく溶き、マトン１０ｇ、バナナ４０ｇを加えさらによく混ぜ合わせる。その生地に炭酸４ｇ、ベーキングパウダー４ｇを加えて、鯛焼き等を作る事のできる焼成食品製造機でワッフルを成形した。
(57)【要約】【課題】安価な回生エネルギ保護回路。【解決手段】電気自動車の回生エネルギによって２次電池２が過充電になることを防ぐために、２次電池２の両端に抵抗１１とスイッチ回路１２からなる直列回路を接続し、２次電池２とスイッチ回路１２の制御端子の間にＶＦコンバータ１３を接続し、ＶＦコンバータ１３と２次電池２の間に定電圧回路１４を直列に挿入した。【選択図】図１
2005229787.tif 000002
【特許請求の範囲】
【請求項１】
その軸に外から力を加えて回転させるとそのコイルに電力が発生しそのコイルに外から電力を加えるとその軸が回転するモータと、２次電池と、前記モータの軸につながっている負荷と、前記モータのコイルと前記２次電池との間に接続されている変換回路からなり、前記２次電池の電気エネルギによって前記モータの軸を回転させて前記負荷に動力を伝え、逆に負荷の慣性エネルギで前記モータの軸を回転させて前記コイルに生じる電力を前記変換回路を介して前記２次電池に充電することができるモータ駆動装置において、前記２次電池の両端に抵抗と制御端子を有するスイッチ回路からなる直列回路を接続し、加えられた電圧に比例した周波数でかつオン期間が一定のパルスを発生するＶＦコンバータを前記２次電池と前記スイッチ回路の制御端子に接続し、前記２次電池と前記ＶＦコンバータの間に定電圧回路を直列に挿入したことを特徴とする回生エネルギ保護回路。
【発明の詳細な説明】
【技術分野】
【０００１】  本発明は電気自動車に関し、より具体的にはインバータのエネルギ回生回路に関する。
【背景技術】
【０００２】  従来方式の１例として図２に示した定電圧クランプ回路がある。【０００３】  電気自動車が速度を落とすときや坂道を下るときにモータを発電に切り換えるとモータが発電して２次電池が充電される。そして、発電することによってモータが車輪の回転に対する負荷になるので制動がかかる。モータを発電に切り換えて２次電池を充電することを回生モードと呼んでいる。電気自動車は走行状態に応じて自動または手動で回生モードに切り換わるようになっている。２次電池が満充電に達している状態で、かつ、回生モードで長い坂道を下ると２次電池が過充電になり電池を劣化させる恐れがある。また、２次電池両端の電圧が異常に高くなるとモータを駆動するインバータ回路の半導体素子を焼損させる恐れがある。そこで、図２に示した定電圧クランプ回路が回生エネルギを吸収して電圧の上昇を抑えている。
【発明の開示】
【発明が解決しようとする課題】
【０００４】  図２に示した従来方式では定電圧クランプ回路の半導体素子の損失が大きいため素子のサイズが大きくなり経済的な負担が大きい。【０００５】  そこで、本発明はクランプ回路ではなく、チョッパ回路を応用して安価の回生エネルギ保護回路を提供するものである。
【課題を解決するための手段】  本発明において、２次電池両端に抵抗とスイッチ回路からなる直列回路を接続し、２次電池の電圧に比例した周波数で、かつ、オン期間が一定のパルスを発生するＶＦコンバータを２次電池とスイッチ回路の間に接続し、さらに２次電池とＶＦコンバータの間に定電圧回路を直列に挿入した。
【発明の効果】
【０００６】  回生エネルギによる２次電池の過充電を防ぐ回生エネルギ保護回路を従来方式に比べて安価に作ることができるので経済的効果は大きい。
【発明を実施するための最良の形態】
【０００７】  ２次電池の電圧が上昇して定電圧回路の電圧を越えるとＶＦコンバータはパルスの発生を開始し、スイッチ回路が一定期間オン状態になって電流が流れる。スイッチ回路のオン状態の抵抗成分を十分小さくしておくことにより、２次電池の大部分はスイッチ回路に直列に接続されている抵抗に加わり、抵抗によって消費される電力に対してスイッチ回路によって消費される電力を十分小さくすることができる。【０００８】  ２次電池の電圧がさらに上昇するとパルスの回数が増えて抵抗による電力消費が増えるので適当な電圧で平衡に達する。【０００９】  市販されている多くの半導体素子は内部チップの接合部の温度の絶対最大定格が１５０℃と定められているが、抵抗は表面温度が４００℃程度まで使用に耐えるものがあるので、電力の消費を抵抗に負担させる方が信頼性が高くなり、また、安価になる。
【実施例】
【００１０】  図１は本発明を３相交流モータによって走行する電気自動車に実施した例を示す図である。図１において、平坦な道を加速するときや登板を走行するときは、２次電池２の電気エネルギが変換回路４を介してモータ１に供給されてモータ１が回転して負荷であるタイヤ３に動力が伝えられる。【００１１】  加速から減速に切り換えるときや道が下りになると回生モードになり、力はタイヤ３からモータ１に加わる。モータ１が発電する電気エネルギは変換回路４を介して２次電池２を充電する。このときタイヤ３がモータ１から受ける反作用が制動の働きをする。【００１２】  下りの坂道が長く続くと２次電池２の充電が進むが、電圧が定電圧回路１４のしきい電圧に達するとＶＦコンバータ１３が発振を開始し、スイッチ回路１２がオン・オフを繰り返す。電圧が高い程オン・オフの繰り返し周波数が高くなり、かつ、オン幅が一定であるため、オンデューティが大きくなる。すなわち電圧が上昇するとより大きい電力を消費するので、ある電圧で平衡状態になり制御は安定する。
【産業上の利用可能性】
【００１３】  回生エネルギを消費させて制動の働きをさせる機能を備えた装置に応用できる。
【図面の簡単な説明】
【００１４】
【図１】  本発明の実施例を示す図である。
【図２】  従来の方式の１例を示す図である。
【符号の説明】
【００１５】  １  モータ
２  ２次電池
３  タイヤ
４  変換回路
５  定電圧クランプ回路
１１  抵抗
１２  スイッチ回路
１３  ＶＦコンバータ
１４  定電圧回路
【図１】
2005229787.tif 000003
【図２】
2005229787.tif 000004
(57)【要約】【課題】  両親への感謝の気持ちをより向上させると共に結婚式を守り立て、而も感謝の気持ちを永遠に両親に届けようとするものである。【解決手段】  まず結婚をするカップル両名又は１名１０から両親宛の感謝の手紙を書いて作詞文面１１を作成する。次に、作詞文面１１を歌詞としてプロ作曲家１２が作曲して譜面１３を作成する。その次にカップル両名又は１名１０が譜面１３を上手に歌うための練習をする。更にその次に譜面１３を基にカップル両名又は１名１０が歌唱する。最後に前記歌唱を伴奏をつけてＣＤ１６に録音する。両親への感謝の気持ちをメロディーにのせて、世界で唯一の思い出の一曲が、ＣＤに録音され、両親や本人に保管出来るので、末永く心に結婚式のことを記念に残すことが出来る。【選択図】  図２
2005119175.tif 000002
【特許請求の範囲】
【請求項１】
結婚をするカップル（１０）両名又は１名から両親宛の感謝の手紙を書く作詞文面（１１）の作成工程と、作詞文面（１１）を歌詞としてプロ作曲家（１２）が作曲して譜面（１３）を作る譜面作成工程と、譜面（１３）を基に歌の上手な人（１４）が歌う歌唱工程と、歌唱に伴奏をつけてＣＤ（１６）に録音する録音工程からなる結婚記念用ＣＤの製造方法。
【請求項２】
結婚をするカップル（１０）両名又は１名から両親宛の感謝の手紙を書く作詞文面（１１）の作成工程と、作詞文面（１１）を歌詞としてプロ作曲家（１２）が作曲して譜面（１３）を作る譜面作成工程と、カップル（１０）両名又は１名が譜面（１３）を上手に歌うための練習を行う歌唱練習工程と、譜面（１３）を基に前記カップル（１０）両名又は少なくとも１名が歌う歌唱工程と、歌唱を伴奏をつけてＣＤ（１６）に録音する録音工程からなる結婚記念用ＣＤの製造方法。
【発明の詳細な説明】
【技術分野】
【０００１】
この発明は、結婚記念用のＣＤの製造方法に関するものである。
【背景技術】
【０００２】
従来、結婚式においては、花嫁の作った手紙が代読され、そのとき花嫁から両親宛に花束を贈るのが通例である。
【発明の開示】
【発明が解決しようとする課題】
【０００３】
この発明は、両親への感謝の気持ちをより向上させると共に結婚式を守り立て、而も感謝の気持ちを永遠に両親に届けようとするものである。
【課題を解決するための手段】
【０００４】
図１を参考にして説明する。第１の発明に係る結婚記念用ＣＤの製造方法は、結婚をするカップル１０両名又は１名から両親宛の感謝の手紙を書く作詞文面１１の作成工程と、作詞文面１１を歌詞としてプロ作曲家１２が作曲して譜面１３を作る譜面作成工程と、譜面１３を基に歌の上手な人１４が歌う歌唱工程と、歌唱に伴奏をつけてＣＤ１６に録音する録音工程からなるものである。
【０００５】
図２を参考にして説明する。第２の発明に係る結婚記念用ＣＤの製造方法は、結婚をするカップル１０両名又は１名から両親宛の感謝の手紙を書く作詞文面１１の作成工程と、作詞文面１１を歌詞としてプロ作曲家１２が作曲して譜面１３を作る譜面作成工程と、カップル１０両名又は１名が譜面１３を上手に歌うための練習を行う歌唱練習工程と、譜面１３を基にカップル１０両名又は１名が歌う歌唱工程と、歌唱を伴奏をつけてＣＤ１６に録音する録音工程からなるものである。
【発明の効果】
【０００６】
両親への感謝の気持ちをメロディーにのせて、世界で唯一の思い出の一曲が、ＣＤに録音され、両親や本人に保管出来るので、末永く心に結婚式のことを残すことが出来る。
【発明を実施するための最良の形態】
【０００７】
図１を参考にして説明する。１０はカップル（図１では１名）、１１は作詞文面、１２はプロ作曲家、１７は楽器、１３は譜面、１４はプロ歌手等の歌の上手な人、１８はマイク、１６はＣＤ、１５はプロ指導者で、カップル（図１では１名）が譜面１３を上手に歌うことを指導するものである。
【実施例１】
【０００８】
第１の発明に係る結婚記念用ＣＤの製造方法は、図１に示す如くまず結婚をするカップル１０両名又は１名から両親宛の感謝の手紙を書いて作詞文面１１を作成する。次に作詞文面１１を歌詞としてプロ作曲家１２が作曲して譜面１３を作成する。その次に譜面１３を基にプロ歌手等の歌の上手な人１４が歌唱する。最後に、前記歌唱を伴奏をつけてＣＤ１６に録音するものである。
【０００９】
第２の発明に係る結婚記念用ＣＤの製造方法は、図２に示す如くまず結婚をするカップル１０両名又は１名から両親宛の感謝の手紙を書いて作詞文面１１を作成する。次に、作詞文面１１を歌詞としてプロ作曲家１２が作曲して譜面１３を作成する。その次にカップル１０両名又は１名が譜面１３を上手に歌うための練習を行うが、このとき録音済コンパクトディスクを再生して行うこともあり、レッスンをプロ指導者１５から受けることもある。更にその次に譜面１３を基にカップル１０両名又は１名が歌唱する。最後に前記歌唱を伴奏をつけてＣＤ１６に録音する。
【図面の簡単な説明】
【００１０】
【図１】第１の発明の工程図である。
【図２】第２の発明の工程図である。
【符号の説明】
【００１１】
１０    カップル
１１    作詞文面  
１２    プロ作曲家  
１３    譜面
１４    歌の上手な人
１５    プロ指導者
１６    ＣＤ
１７    楽器
１８    マイク
【図１】
2005119175.tif 000003
【図２】
2005119175.tif 000004
(57)【要約】【課題】  アマチュアが撮影した写真を基に、高品位の結婚記念アルバムを提供しようとするものである。【解決手段】  結婚式関係即ち結婚式場や披露宴場で，親族や友人が撮影したアマチュア写真やデジタル画像データーを借り集める借集工程１、写真をスキャナーでデジタルデーターへ変換する工程２、必要に応じデーター一覧表を作る一覧表作成工程３、直接又は一覧表の中から候補写真を選定する選定工程４、候補写真の明度・鮮度・背景等の画像修正をする画像修正工程５、画像修正した写真や文字のアルバム上における配置を決める配置編集工程６、画像修正済写真及び文字通りの印刷発行するアルバム発行工程７、発行されたアルバムにラミネート加工するラミネート工程８からなるものである。【選択図】  図１
2005119174.tif 000002
【特許請求の範囲】
【請求項１】
結婚式や披露宴場などで親族や友人が撮影したアマチュア写真・デジタルカメラのデーター・ネガ・ポジなどの写真データを借り集める借集工程（１）、次いで集めた写真・ネガ・ポジをスキャナーでデジタル画像として、パソコンに取り込むデジタル画像への変換工程（２）、取り込んだ画像から候補写真を選定する候補選定工程（４）、候補写真のトリミング・明度・鮮度・背景等の画像修正をする画像修正工程（５）、画像修正した写真・画像データーと文字などアルバム上における配置を編集する配置編集工程（６）、画像修正済、写真、画像データー及び文字通りのアルバムを銀塩写真や他の印刷物にする発行工程（７）、銀塩写真や他の印刷物を劣化・退色などから保護するラミネート加工してアルバムを作る発行物ラミネート加工工程（８）からなる結婚記念アルバムの製造方法。
【請求項２】
結婚式や披露宴場などで親族や友人が撮影したアマチュア写真・デジタルカメラのデーター・ネガ・ポジなどの写真データを借り集める借集工程（１）、次いで集めた写真・ネガ・ポジをスキャナーでデジタル画像として、パソコンに取り込むデジタル画像への変換工程（２）、取り込んだ画像から一覧表を作成する一覧表作成工程（３）、一覧表から候補写真を選定する候補選定工程（４）、候補写真のトリミング・明度・鮮度・背景等の画像修正をする画像修正工程（５）、画像修正した写真・画像データーと文字などアルバム上における配置を編集する配置編集工程（６）、画像修正済、写真、画像データー及び文字通りのアルバムを銀塩写真や他の印刷物にする発行工程（７）、銀塩写真や他の印刷物を劣化・退色などから保護するラミネート加工してアルバムを作る発行物ラミネート加工工程（８）からなる結婚記念アルバムの製造方法。
【発明の詳細な説明】
【技術分野】
【０００１】
この発明は、結婚式場関係で出席者等のアマチュアが撮影した写真を基に結婚記念アルバムを製造する方法に関するものである。
【背景技術】
【０００２】
従来、結婚式場で出席者等のアマチュアが撮影した写真は撮影者が自発的に焼付けし、一部の人に贈呈し、受取った人が自分のアルバムに貼付けるのが通例であった。
【発明の開示】
【発明が解決しようとする課題】
【０００３】
アマチュアが撮影した写真を基に、高品位の結婚記念アルバムを提供しようとするものである。
【課題を解決するための手段】
【０００４】
請求項１の発明に係る結婚記念アルバムの製造方法は、結婚式や披露宴場などで親族や友人が撮影したアマチュア写真・デジタルカメラのデーター・ネガ・ポジなどの写真データを借り集める借集工程１、次いで集めた写真・ネガ・ポジをスキャナーでデジタル画像として、パソコンに取り込むデジタル画像への変換工程２、取り込んだ画像から候補写真を選定する候補選定工程４、候補写真のトリミング・明度・鮮度・背景等の画像修正をする画像修正工程５、画像修正した写真・画像データーと文字などアルバム上における配置を編集する配置編集工程６、画像修正済、写真、画像データー及び文字通りのアルバムを銀塩写真や他の印刷物にする発行工程７、銀塩写真や他の印刷物を劣化・退色などから保護するラミネート加工してアルバムを作る発行物ラミネート加工工程８からなるものである。
【０００５】
請求項２の発明に係る結婚記念アルバムの製造方法は、結婚式や披露宴場などで親族や友人が撮影したアマチュア写真・デジタルカメラのデーター・ネガ・ポジなどの写真データを借り集める借集工程１、次いで集めた写真・ネガ・ポジをスキャナーでデジタル画像として、パソコンに取り込むデジタル画像への変換工程２、取り込んだ画像から一覧表を作成する一覧表作成工程３、一覧表から候補写真を選定する候補選定工程４、候補写真のトリミング・明度・鮮度・背景等の画像修正をする画像修正工程５、画像修正した写真・画像データーと文字などアルバム上における配置を編集する配置編集工程６、画像修正済、写真、画像データー及び文字通りのアルバムを銀塩写真や他の印刷物にする発行工程７、銀塩写真や他の印刷物を劣化・退色などから保護するラミネート加工してアルバムを作る発行物ラミネート加工工程８からなるものである。
【発明の効果】
【０００６】
結婚している人の８割以上は、結婚式の思い出のスナップ写真を押入れの奥底に重なって眠らせている。身近な人達に撮って貰った写真は、自然な表情が出ているし、撮って呉れた人との思い出も膨らみ、見ているだけで笑顔が溢れる。何度でも見てみたいものである。この発明によれば、スナップ写真を基に思い出のアルバムを作成することが出来、夫婦の仲睦まじさを永く維持するのにも寄与する。
【発明を実施するための最良の形態】
【０００７】
１は借集工程で、結婚式や披露宴場などで親族や友人が撮影したアマチュア写真・デジタルカメラのデーター・ネガ・ポジなどの写真データを借り集める工程である。２はデジタル画像への変換工程で、集めた写真・ネガ・ポジをスキャナーでデジタル画像として、パソコンに取り込む工程である。この場合デジタルカメラのデーターはＭＯ；ＣＤ−Ｒメモリー；ＤＶＤなどからパソコンに取り込む。３は一覧表作成工程である。４は候補選定工程で、取り込んだ画像を直接又は一覧表として候補写真を選定する工程である。５は画像修正工程で、候補写真のトリミング・明度・鮮度・背景等の画像修正をする工程である。６は配置編集工程で、画像修正した写真・画像データーと文字などアルバム上における配置を編集工程である。７は発行工程で、画像修正済写真・画像データー及び文字通りのアルバムを銀塩写真や他の印刷物にする工程である。８はラミネート加工工程で、銀塩写真や他の印刷物を劣化・退色などから保護するラミネート加工をアルバムに施すものである。
【図面の簡単な説明】
【０００８】
【図１】この発明の一例を示す工程図である。
【符号の説明】
【０００９】
１    借集工程
２    データー変換工程
３    一覧表作成工程
４    候補の選定工程
５    画像修正工程
６    写真や文字の配置編集工程
７    発行工程
８    ラミネート工程
【図１】
2005119174.tif 000003
(57)【要約】【課題】  有機物を分解する能力のある微生物は、溶液で培養されただけでは、マイナスイオンを発生しない。この微生物を利用してマイナスイオンを発生させる方法及び製品を提供する。【解決手段】  有機物を分解する能力のある微生物を溶液で培養し、水で薄めて粘土と混合して練る。それに微生物の栄養分や酵素、乳酸菌などを加えたのち発酵と熟成をさせる。こうして出来上った粘土を焼成させてセラミックを作る。セラミックは、マイナスイオンを増加させ、プラスイオンを減少させることが出来る。【特許請求の範囲】
【請求項１】
有機物を分解する能力のある微生物、例えばＥＭ菌に代表される光合成細菌（バチルス属）、乳酸菌（ラクトバチルス）、酵母真菌を含む微生物を複合培養により発酵させ、この発酵液を鉱物、例えば酸化チタン、二酸化珪素、ゼオライト、珪藻土、マイカ、セリサイト、サンゴ粉末、酸化鉄、酸化亜鉛、酸化銅、塩化カリウム、塩化ナトリウ厶、酸化ジルコニウム、塩化マグネシウム、酸化カルシウ厶の混合粉末に加え、２０℃〜３５℃に保ち混練し、この時微生物培養液とハチミツ、ブドウ糖、オタネニンジン、ドクダミ、レイシ、ビワ、アガリクス、高麗人参、プロポリス、リンゴエキス、柑橘エキスを加え混合し培養すると同時に上記混合粉末と混ぜ合わせ１５℃〜３５℃で発酵及び熟成させ、そして２週間以上発酵と熟成させた混合粉末を１週間以上掛けて自然乾燥させた後８００℃〜１，５００℃の炉で焼成させることを特徴とする、微生物と植物を応用したセラミックの製造方法及びそれを用いたマイナスイオン生成材。
【発明の詳細な説明】
【発明の詳細な説明】
【技術分野】
【０００１】  この発明は、有機物を分解する能力のある微生物と植物、果実、鉱物と陶器用粘土を混ぜ合せた後セラミックに加工する、微生物と植物を応用したセラミックの製造方法及びそれを用いたマイナスイオン生成材。
【背景技術】
【０００２】  従来、セラミックは、陶器用粘土に数種類の鉱物を混ぜ合せ焼成し製造するものが多い。また、微生物を利用したものは、焼結前に微生物を殺菌除去するものである。
【解決しようとする課題】
【０００３】  これは、次のような欠点があった。
イ．有機物を分解する微生物を含んだ培養液や粉末状のものを粘土と混合してセラミックに加工してもマイナスイオンの発生は得られない。
ロ．セラミックの効果が短時間で消滅するので使用用途が無い。
ハ．微生物を焼結前にオゾン等で殺菌除去する作業があり、工程が複雑である。
ニ．天然由来のセラミック、例えば、トルマリン、光触媒酸化チタン等はエネルギーを外部から供給されない限りマイナスイオンを発生させる事が出来ない。
ホ．電気を用いてマイナスイオンを発生させる装置も多々あるが、エネルギーを消費し、更にオゾン（活性酸素）も発生させてしまう。
本発明は以上の欠点を解決し、有用微生物群を水質改良や汚水処理に幅広く利用出来るとともに、外部エネルギーを用いずマイナスイオンを発生させる事が出来る。
【問題を解決するための手段】
【０００４】  有機物を分解する能力のある微生物、例えばＥＭ菌に代表される光合成細菌（バチルス属）、乳酸菌（ラクトバチルス）、酵母真菌を含む微生物を複合培養により発酵させ、この発酵液を鉱物、例えば酸化チタン、二酸化珪素、ゼオライト、珪藻土、マイカ、セリサイト、サンゴ粉末、酸化鉄、酸化亜鉛、酸化銅、塩化カリウム、塩化ナトリウム、酸化ジルコニウム、塩化マグネシウム、酸化カルシウムの混合粉末に加え、２０℃〜３５℃に保ち混練し、この時微生物培養液とハチミツ、ブドウ糖、オタネニンジン、ドクダミ、レイシ、ビワ、アガリクス、高麗人参、プロポリス、リンゴエキス、柑橘エキスを加え混合し培養すると同時に上記混合粉末と混ぜ合わせ１５℃〜３５℃で発酵及び熟成させ、そして２週間以上発酵と熟成させた混合粉末を１週間以上掛けて自然乾燥させた後８００℃〜１，５００℃の炉で焼成させることを特徴とする。以上の方法からなる微生物と植物を応用したセラミックの製造方法及びそれを用いたマイナスイオン生成材。
【発明を実施するための最良の形態】
【０００５】  以下、本発明の実施の形態について説明する。
第１工程  粘土に水分比率が重量に対して１５％〜１９％の水を加えて練る。
第２工程  上記の粘土に水質改良や汚水処理に利用されている嫌気性の微生物と好気性の微生物が同率で含まれている微生物の溶液を加える。混合比率は下記の通り。
粘土                    ９０〜９８％
微生物の溶液              ２〜１０％
第３工程  第２工程を経た粘土に微生物の栄養分である糖蜜と一般的な草木と薬草から抽出した酵素、牛乳と豆乳から選出した乳酸菌、ビール製造に使用する酵母菌、サンゴから取り出した天然ミネラル分及び海草から抽出した天然ミルラル分を加えて練る。
第４工程  第３工程でできた粘土に微生物を少し加えて練る。これを陶器製の容器に入れて、ヒーターで１５℃〜３５℃に保温し、２週間以上毎日練り、十分な酸素を微生物に送り込み繁殖を促がす。
第５工程  第４工程を経て十分に発酵と熟成をした微生物の入った粘土を適当なサイズに成型する。多孔性のセラミックを作るのであれば、おが屑を粘土の体積比で２１％以上入れて練り合わせる。
第６工程  第５工程で出来た成型品を炉に入れて８００〜１５００℃で焼成してセラミックを作る。多孔性のセラミックを作る目的で入れたおが屑は、燃えつきてセラミックに孔が残り多孔性のセラミックが出来上る。
成型したセラミック以外にも粉末セラミックを生産することが出来る。粉末セラミックを生産するには、混合セラミック原料粉末を材料として使用し、４工程を経たのち成型せずに焼成する。この粉末セラミックもマイナスイオンを増加させ、プラスイオンを減少させる作用がある。
【発明の効果】
【０００６】  有機物を分解する能力のある微生物をセラミック粉末と同時に焼結させる事により、マイナスイオン増加、プラスイオン減少が簡単に出来、外部エネルギーや放射線の心配なく、安全且つ安心して使用する事ができる。その為にセラミックを土中に埋めたり水中に入れて使用出来るので庭、畑や田んぼなどの土壌改良と魚の養殖槽や金魚ばちに入れておけば水は抗酸化力の強い、免疫力がある、蘇生回帰力を持った水となり魚の生育を促がし長生きする様になる。又、建築材料や土木工事用材料と一緒に使用すればアレルギー予防や水質汚染の解消にもなる。又、このセラミックで処理した水を人間が飲料すれば、動植物から得られた効果が人間にも適用出来る。水にセラミックを入れると、マイナスイオン効果により還元水が得られる。また、化粧品や繊維、紙、樹脂、ゼリー状消臭材、扇子、エアコン用フィルター等に配合または、接着させる事により、マイナスイオンを増加させ、プラスイオンを減少させる商品が出来る。
(57)【要約】      （修正有）【課題】  取り扱いが簡単で、片手で容易に操作使用できる伸縮式携帯鋸を提供する。【解決手段】  柄１の前部にキャップ２を取り付け鋸刃出入穴を開け、柄の内部に鋸刃６を収納する収納部を設け、鋸刃の後部両面に制動補助板を貼り付け溝を付けることにより、鋸刃の出入がスムーズになり、刃先が収納部より出入する時、柄や前キャップに触れて刃先を傷めることがなくなり、柄の前部の内部にバネを挟んだストッパーを取り付け操作することにより、鋸刃使用時に柄と鋸刃を固定することができ、ストッパーにゴムパットを貼り付けることで鋸刃収納時に鋸刃をしっかり押え付けることができて、柄の後部のキャップ１７を取り付けることで鋸刃の取り替えが容易になる等を特徴とする伸縮式携帯鋸。【選択図】  図１
2005119252.tif 000002
【特許請求の範囲】
【請求項１】
柄の前部に鋸刃出入穴を開け、鋸刃の後部両面に制動補助板を貼り付け、柄の内部に鋸刃使用時に鋸刃を固定することができるように形成された固定手段を設け、柄の後部にキャップを設けたことを特徴とする伸縮式携帯鋸。
【発明の詳細な説明】
【技術分野】
【０００１】  本発明は、携帯鋸を片手で容易に操作できるようにした伸縮式携帯鋸に関するものである。
【背景技術】
【０００２】  従来、携帯鋸は、柄の付いた鋸刃と鞘を分離したものと、鋸刃と鞘をつなぎ鞘を柄としても使う折り畳み式がほとんどである。
【発明の開示】
【発明が解決しようとする課題】
【０００３】  そのため次のような問題があった。
（イ）  柄の付いた鋸刃と鞘が分離した携帯鋸は、簡単に鞘から鋸刃が抜け落ちることがあった。
（ロ）  鋸刃と鞘をつなぎ、折り畳み式にした携帯鋸は、必ず両手で操作しなければならない。
本発明は、以上の問題点を解決しようとするものである。
【課題を解決するための手段】
【０００４】  柄の前部にキャップを取り付け鋸刃出入穴を開ける。柄の内部に鋸刃を収納する収納部を設ける。鋸刃の後部両面に制動補助板を貼り付け溝を付ける。溝を付けることにより、収納部からの鋸刃の出入がスムーズになり、刃先が収納部より出入する時、柄や前キャップに触れて刃先を傷めることがなくなる。柄の前部の内部にバネを挟んだストッパーを取り付け操作することにより、鋸刃使用時に柄と鋸刃をしっかり固定することができる。ストッパーにゴムパットを貼り付けることで鋸刃収納時に鋸刃をしっかり押え付けることができる。柄の後部のキャップを取り付けることで鋸刃の取り替えが容易になる。
以上を特徴とする伸縮式携帯鋸である。
【発明の効果】
【０００５】  片手で簡単に携帯鋸を操作使用することができ、鋸刃の出し入れ時に、柄や鋸の刃先を傷めることがなく、切れなくなった鋸刃の取り替えも容易にできるようになった。
【発明を実施するための最良の形態】
【０００６】  以下、本発明の実施の形態について説明する。
（イ）  柄（１）の内部に鋸刃（６）を収納する収納部（１０）を設ける。
（ロ）  柄（１）の前部は、前キャップ（２）を止めネジ（１６）で止め、鋸刃（６）が出入しても前キャップ（２）に触らないように、図１、図２のように縦長の鋸刃出入立穴（７）を開ける。
（ハ）  柄（１）の前部と前キャップ（２）には、ストッパー前ボタン（４）とストッパー後ボタン（５）を操作するために、前キャップストッパー前穴（８ａ）を左右２ヶ所、前キャップストッパー後穴（８ｂ）を左右２ヶ所、柄ストッパー前穴（９ａ）を左右２ヶ所、柄ストッパー後穴（９ｂ）を左右２ヶ所の合計８ヶ所の穴を開ける。
（ニ）  柄（１）の前部の内部にストッパー（３）を取り付けるためのスペースを設ける。
（ホ）  ストッパー（３）の奥下部には、鋸刃（６）を押え付けるためのゴムパット（１５）を貼り付ける。
（ヘ）  柄（１）の前部の内部にストッパー（３）をストッパーネジ（１３）で止める。
その際、図６、図７のようにストッパーネジ（１３）と後ストッパーボタン（５）の中間の柄（１）とストッパー（３）の隙間にストッパーバネ（１４）を挟みこ込む。
（ト）  柄（１）の後部には、後キャップ（１７）を止めネジ（１６）でネジ止めする。
（チ）  鋸刃（６）の後部両側には、制動補助板（１１）を貼り付け一体とし、図４、図５のように制動補助板溝（１２）を付ける。
本発明は以上の構成よりなっている。
本発明を使用する時は、図６の柄（１）の中の収納部（１０）に鋸刃（６）を収納した状態より、柄（１）の前方を下に傾け、ストッパー前ボタン（４）を両指先で柄（１）の中に押し込めると、鋸刃（６）を固定しているゴムパット（１５）を貼り付けたストッパー（３）の奥下部が広がり、鋸刃（６）が前キャップ（２）に開けた鋸刃出入立穴（７）より飛び出す。鋸刃（６）の出が止まったら，ストッパー前ボタン（４）から指先を離し、今度はストッパー後ボタン（５）を柄（１）の中へ押し込む。するとゴムパット（１５）を貼り付けているストッパー（３）の奥下部が、制動補助板（１１）を貼り付けた鋸刃（６）の最後部を制止し固定する。そして図７の状態を確認して使用する。
鋸刃（６）を収納する時は、図７の状態より鋸刃（６）、柄（１）の先端を上方に傾け、両指先でストッパー前ボタン（４）を柄（１）の中に押し込める。すると鋸刃（６）の最後部を固定していたゴムパット（１５）を貼り付けたストッパー（３）の奥下部が広がり、鋸刃（６）が柄（１）の中の収納部（１０）に滑り込む。鋸刃（６）が完全に引っ込んだら両指先をストッパー前ボタン（４）より離す。するとストッパーバネ（１４）が働き、ゴムパット（１５）を貼り付けたストッパー（３）の奥下部が鋸刃（６）を押え付けて動かなくする。
【図面の簡単な説明】
【０００７】
【図１】  本発明の斜視図
【図２】  本発明の柄の分解斜視図
【図３】  Ａ−Ａ拡大断面図
【図４】  本発明の鋸刃側面図
【図５】  Ｂ−Ｂ拡大断面図
【図６】  本発明の鋸刃収納時断面図
【図７】  本発明の鋸刃最出断面図
【符号の説明】
【０００８】  １    柄
２    前キャップ
３    ストッパー
４    ストッパー前ボタン
５    ストッパー後ボタン
６    鋸刃
７    鋸刃出入立穴
８ａ  前キャップストッパー前穴
８ｂ  前キャップストッパー後穴
９ａ  柄ストッパー前穴
９ｂ  柄ストッパー後穴
１０    収納部
１１    制動補助板
１２    制動補助板溝
１３    ストッパーネジ
１４    ストッパーバネ
１５    ゴムパット
１６    止めネジ
１７    後キャップ
【図１】
2005119252.tif 000003
【図２】
2005119252.tif 000004
【図３】
2005119252.tif 000005
【図４】
2005119252.tif 000006
【図５】
2005119252.tif 000007
【図６】
2005119252.tif 000008
【図７】
2005119252.tif 000009
(57)【要約】【課題】名刺に画像を差込、加工し印刷する上で、印刷時に必要な機材等の手間を減らし、簡単に名刺印刷用の画像を取得する機能を提供し、画像付き名刺を作成する。【解決手段】  ウェブ閲覧機能を搭載し電子メールに携帯電話機内の画像情報を添付でき、又は、赤外線通信機能、又は、記憶メディアを搭載したカメラ付携帯電話機を使い、インターネット上に設置したサーバや、赤外線通信機能や、記憶メディアから画像を送信し画像付き名刺を印刷をする方法を提供する。  特にカメラ付き携帯電話機の画像を印刷する事を特徴とする。【選択図】  図１
2005119255.tif 000002
【特許請求の範囲】
【請求項１】
本発明は、携帯電話機本体、乃至、本体に搭載された記憶メディアに画像を保存できる機能を持つカメラ付き携帯電話機で、画像情報を本体に搭載された赤外線通信機能や、上記、記憶メディア等、またはインターネット上に保存してある画像を印刷画像として取り込み、名刺に加工し印刷する事を可能とするシステム及び装置である。
【発明の詳細な説明】
【発明の詳細な説明】
【技術分野】
【０００１】  本発明は、任意の印刷端末装置に画像を出力するシステム及び方法に関し、特に、インターネット上に設置したサーバに保存した画像及び、携帯電話機上の画像情報を名刺に加工し、任意の印刷端末機から出力させるシステム及び方法に関する。
【背景技術】
【０００２】  近年、カメラ機能を搭載した携帯電話機は著しく普及しており、携帯電話機の画像情報は単に携帯電話機上から閲覧するだけではなく、その画像を利用し印刷等の用途が要求されるといえる。【０００３】  インターネットの普及も著しく向上しており、画像を保存したり転送したりすることは頻繁に行なわれている。
【発明が解決しようとする課題】
【０００４】  現社会における名刺の需要は高く、頻繁性を帯びているといえる。しかし、現状、写真付きの名刺を作成するには手間が掛かるといえる。
【０００５】  本発明は上記課題に鑑みてなされたものであり、請求項１の携帯電話機より赤外線通信による画像の転送及び、携帯電話機に搭載された上記メディアからの画像転送及び、インターネット上に設置されたサーバを経由して画像を転送する事で、画像付きの名刺を印刷を可能とする。
【課題を解決するための手段】
【０００６】  請求項１において、携帯電話機から赤外線通信を行ない名刺用の印刷画像を取り込む場合、印刷端末に赤外線受信部の装置を搭載し、印刷端末に携帯電話機内の画像を転送可能にする。
【０００７】  請求項１において、携帯電話機に搭載された記憶メディア赤外線通信を行ない名刺用の印刷画像を取り込む場合、印刷端末に記憶メディアを読み込む装置を搭載し、印刷丹南津に携帯電話機内の画像を転送可能にする。
【０００８】  請求項１において、画像情報がメールで送信できる機能を搭載したカメラ機能付き携帯電話機と、インターネットに接続された携帯電話機から送信された画像情報を保存するためのウェブサイトとしてサーバを設置し、携帯電話機に保存されている画像をインターネット上でのウェブサイトに転送を可能とする。
【０００９】  各取り込み方法により取得した印刷画像を印刷端末よりローカル接続プリンタ乃至ネットワーク接続プリンタより名刺を印刷可能とする。
【発明を実施するための最良の形態】
【００１０】  図１は請求項１の本発明装置の構成例である。【００１１】  印刷端末には、コンピュータ（２）にインターネットから取り込んだ画像（６）を取り込む装置、携帯電話機搭載の赤外線通信機能から送信された画像を受信する赤外線受信装置（３）、記憶メディアから画像を読み込む記憶メディア読み取り装置（４）を搭載し、読み込んだ画像を加工しプリンタ出力装置（１）を搭載する。また、印刷端末には、印刷可能なプログラムをインストールする。【００１２】  赤外線通信にて画像を印刷端末に送信する場合は、赤外線通信機能を搭載した携帯電話機（９）を使い、印刷端末の赤外線受信装置の受講部へ向けて送信する。【００１３】  記憶メディアにて画像を印刷端末に送信する場合は、画像を記憶メディアへ格納できる携帯電話機（９）を使い、携帯電話機から印刷したい画像を記憶メディアに保存し、印刷端末の記憶メディア読み取り装置（４）に挿入し読み取る。【００１４】  インターネット上のサーバから画像を印刷端末に送信する場合は、予め携帯電話機内の画像をサーバにメール等に添付し、サーバに記憶させ、サーバと印刷端末間では、ＩＤコードやパスワード等の暗号を用い、印刷端末とサーバ内の画像データを一致させ送信する。【００１５】  これらの方法によって、読み取った画像を印刷端末のコンピュータ（２）上で名刺に加工しプリンタ（１）に出力する。
【発明の効果】
【００１６】    携帯電話機のカメラで撮影した画像を加工し、名刺に画像を貼り付け、印刷する事ができるようになる。
【００１７】    携帯電話機に搭載された赤外線通信機能を使う事で、印刷装置等にケーブル等で接続しなくても名刺用画像が取得可能である。
【００１８】    携帯電話機に搭載された記憶メディアカードを印刷端末で読み込める事で、
携帯電話機に保存出来ない高画質の画像や、携帯電話機に保存出来ない枚数の画像の中から名刺用の画像を取得可能である。
【００１９】    インターネット上のサーバから画像を読み込める事で、携帯電話機等をその場に持ち合わせていなくとも、ネットワーク上から名刺用の画像を取得する事が可能である。
【図面の簡単な説明】    図１は請求項１の構成例を示す。
【図１】
2005119255.tif 000003